(57)【要約】      （修正有）【課題】発信先の電話番号の事前登録を行うことなく、誤った発信先への発信を防止できるホームゲートウェイ装置を提供する。【解決手段】ダイヤル情報検出部130が電話機200からの発信先の電話番号を検出すると、発信処理判定部140は、発信情報テーブル150に蓄積されている過去の発信履歴を検索して同じ電話番号が存在していなかった場合、初めての発信先と判定して、確認音声作成送出部160を駆動し、ダイヤルされた発信先の電話番号を含む確認用音声ガイダンスを電話機200に対して送出し、発信者に電話番号を再確認させる。確認用音声ガイダンスの送出後、発信中止操作許容時間閾値として定めた一定時間が経過するまでの間に、電話機200のオンフックを検出した場合、発信処理判定部１４０は、途中放棄呼として、確認用音声ガイダンスの送出動作を停止させるとともに、ダイヤルされた発信先への発信動作を中止する。【選択図】図１
2019009485.tif 000002
【特許請求の範囲】
【請求項１】
電話機とネットワークとの間に配置され、ＶｏＩＰ（Voice  over  Internet  Protocol）機能を有するホームゲートウェイ装置であって、
前記電話機の発信時にダイヤル情報として受け取った発信先の電話番号を含む情報を過去の発信履歴として順次蓄積する発信情報テーブルと、
前記電話機の発信時にダイヤルされた発信先の電話番号を検出した際に、ダイヤルされた該発信先の電話番号と、前記発信情報テーブルに前記発信履歴として蓄積されている電話番号と、の照合を行うことにより、ダイヤルされた前記発信先が初めての発信先か否かを判定した結果に基づいて、ダイヤルされた前記発信先の電話番号への発信動作を一時保留して、ダイヤルされた前記発信先の電話番号を発信元の前記電話機に対して送出して該電話番号が正しいか否かを確認するか、または、ダイヤルされた前記発信先への発信動作を開始するか、のいずれかの動作を選択する発信処理判定手段と、
ダイヤルされた前記発信先の電話番号の情報を含む確認用音声ガイダンスを作成して、作成した該確認用音声ガイダンスを、発信元の前記電話機に対して送出する確認音声作成送出手段と、
前記確認用音声ガイダンスを送出後、発信中止操作許容時間閾値としてあらかじめ定めた一定時間が経過するまでの間に、前記電話機がオンフックになったか否かを監視する発信確認手段と
を有し、
前記発信処理判定手段は、ダイヤルされた前記発信先の電話番号が前記発信情報テーブルの前記発信履歴に存在していなかった場合には、ダイヤルされた前記発信先の電話番号への発信動作を一時保留して、前記確認音声作成送出手段により、前記確認用音声ガイダンスを発信元の前記電話機に対して送出し、
前記発信確認手段が、前記発信中止操作許容時間閾値として定めた一定時間が経過するまでの間に、前記電話機のオンフックを検出した場合には、前記発信処理判定手段は、ダイヤルされた前記発信先の電話番号への発信を行うことなく、発信動作を中止する
ことを特徴とするホームゲートウェイ装置。
【請求項２】
前記電話機に対して着信した着信相手の電話番号を含む情報を、過去の着信履歴として、前記発信情報テーブルにさらに追加して蓄積し、
前記発信処理判定手段は、前記電話機の発信時にダイヤルされた発信先の電話番号を検出した際に、ダイヤルされた該発信先の電話番号と、前記発信情報テーブルに前記発信履歴または前記着信履歴として蓄積されている電話番号と、の照合を行い、ダイヤルされた前記発信先の電話番号が前記発信情報テーブルの前記発信履歴および前記着信履歴のいずれにも存在していなかった場合には、ダイヤルされた前記発信先の電話番号への発信動作を一時保留して、前記確認音声作成送出手段により、前記確認用音声ガイダンスを発信元の前記電話機に対して送出する
ことを特徴とする請求項１に記載のホームゲートウェイ装置。
【請求項３】
前記発信確認手段において、前記発信中止操作許容時間閾値として定めた一定時間が経過するまでの間に、前記電話機のオンフックを検出しなかった場合、
前記発信処理判定手段は、ダイヤルされた前記発信先の電話番号に対する発信動作を行うとともに、ダイヤルされた前記発信先の電話番号を含む情報を前記発信情報テーブルに前記発信履歴として蓄積する、
ことを特徴とする請求項１または２に記載のホームゲートウェイ装置。
【請求項４】
前記発信確認手段において、ダイヤルされた前記発信先の電話番号を含む前記確認用音声ガイダンスを受け取った発信元の前記電話機から、該電話番号に関する発信動作の開始を指示する特定の番号が返送されてきたことを検出した場合、
前記発信処理判定手段は、前記確認用音声ガイダンスの送出動作を停止させ、かつ、ダイヤルされた前記発信先の電話番号に対する発信動作を行うとともに、ダイヤルされた前記発信先の電話番号を含む情報を前記発信情報テーブルに前記発信履歴として蓄積する、
ことを特徴とする請求項１ないし３のいずれかに記載のホームゲートウェイ装置。
【請求項５】
前記発信情報テーブルに前記発信履歴または前記着信履歴として蓄積する情報として、前記発信先または前記着信相手を特定する相手名を、さらに追加し、
前記発信処理判定手段は、前記電話機の発信時に、前記発信先の電話番号の代わりに、当該発信先を特定する前記相手名を検出した際に、当該発信先を特定する前記相手名が、前記発信情報テーブルに蓄積された前記発信履歴または前記着信履歴として蓄積されていない相手名であった場合には、初めての発信先であると判定して、当該発信先への発信動作を中止するか、あるいは、初めての発信先である旨を示す情報ととともに、当該発信先の電話番号の入力を促す音声ガイダンスを前記電話機に送出する、
ことを特徴とする請求項１ないし４のいずれかに記載のホームゲートウェイ装置。
【請求項６】
前記発信情報テーブルに新たな前記発信履歴または前記着信履歴を追加して蓄積しようとする際に、前記発信情報テーブルに空き領域が存在していなかった場合、前記発信情報テーブルに蓄積されている前記発信履歴または前記着信履歴のうち、最も古い前記発信履歴または前記着信履歴の上に、あるいは、最も発信回数が少ない前記発信履歴または前記着信履歴の上に、新たな前記発信履歴または前記着信履歴を上書きして蓄積する、
ことを特徴とする請求項１ないし５のいずれかに記載のホームゲートウェイ装置。
【請求項７】
電話機とネットワークとの間に配置され、ＶｏＩＰ（Voice  over  Internet  Protocol）機能を有するホームゲートウェイ装置におけるＶｏＩＰ発信方法であって、
前記電話機の発信時にダイヤル情報として受け取った発信先の電話番号を含む情報を過去の発信履歴として発信情報テーブルに順次蓄積する発信情報テーブル生成ステップと、
前記電話機の発信時にダイヤルされた発信先の電話番号を検出した際に、ダイヤルされた該発信先の電話番号と、前記発信情報テーブルに前記発信履歴として蓄積されている電話番号と、の照合を行うことにより、ダイヤルされた前記発信先が初めての発信先か否かを判定した結果に基づいて、ダイヤルされた前記発信先の電話番号への発信動作を一時保留して、ダイヤルされた前記発信先の電話番号を発信元の前記電話機に対して送出して該電話番号が正しいか否かを確認するか、または、ダイヤルされた前記発信先への発信動作を開始するか、のいずれかの動作を選択する発信処理判定ステップと、
ダイヤルされた前記発信先の電話番号の情報を含む確認用音声ガイダンスを作成して、作成した該確認用音声ガイダンスを、発信元の前記電話機に対して送出する確認音声作成送出ステップと、
前記確認用音声ガイダンスを送出後、発信中止操作許容時間閾値としてあらかじめ定めた一定時間が経過するまでの間に、前記電話機がオンフックになったか否かを監視する発信確認ステップと
を有し、
前記発信処理判定ステップは、ダイヤルされた前記発信先の電話番号が前記発信情報テーブルの前記発信履歴に存在していなかった場合には、ダイヤルされた前記発信先の電話番号への発信動作を一時保留して、前記確認音声作成送出ステップにより、前記確認用音声ガイダンスを発信元の前記電話機に対して送出し、
前記発信確認ステップにおいて、前記発信中止操作許容時間閾値として定めた一定時間が経過するまでの間に、前記電話機のオンフックを検出した場合には、前記発信処理判定ステップは、ダイヤルされた前記発信先の電話番号への発信を行うことなく、発信動作を中止する
ことを特徴とするＶｏＩＰ発信方法。
【請求項８】
前記電話機に対して着信した着信相手の電話番号を含む情報を、過去の着信履歴として、前記発信情報テーブルにさらに追加して蓄積し、
前記発信処理判定ステップは、前記電話機の発信時にダイヤルされた発信先の電話番号を検出した際に、ダイヤルされた該発信先の電話番号と、前記発信情報テーブルに前記発信履歴または前記着信履歴として蓄積されている電話番号と、の照合を行い、ダイヤルされた前記発信先の電話番号が前記発信情報テーブルの前記発信履歴および前記着信履歴のいずれにも存在していなかった場合には、ダイヤルされた前記発信先の電話番号への発信動作を一時保留して、前記確認音声作成送出手段により、前記確認用音声ガイダンスを発信元の前記電話機に対して送出する、
ことを特徴とする請求項７に記載のＶｏＩＰ発信方法。
【請求項９】
前記発信確認ステップにおいて、前記発信中止操作許容時間閾値として定めた一定時間が経過するまでの間に、前記電話機のオンフックを検出しなかった場合、
前記発信処理判定ステップは、ダイヤルされた前記発信先の電話番号に対する発信動作を行うとともに、ダイヤルされた前記発信先の電話番号を含む情報を前記発信情報テーブルに前記発信履歴として蓄積する、
ことを特徴とする請求項７または８に記載のＶｏＩＰ発信方法。
【請求項１０】
電話機とネットワークとの間に配置され、ＶｏＩＰ（Voice  over  Internet  Protocol）機能を有するホームゲートウェイ装置に搭載されたコンピュータによって実行されるＶｏＩＰ発信制御プログラムであって、
前記電話機の発信時にダイヤル情報として受け取った発信先の電話番号を含む情報を過去の発信履歴として発信情報テーブルに順次蓄積する発信情報テーブル生成機能と、
前記電話機の発信時にダイヤルされた発信先の電話番号を検出した際に、ダイヤルされた該発信先の電話番号と、前記発信情報テーブルに前記発信履歴として蓄積されている電話番号と、の照合を行うことにより、ダイヤルされた前記発信先が初めての発信先か否かを判定した結果に基づいて、ダイヤルされた前記発信先の電話番号への発信動作を一時保留して、ダイヤルされた前記発信先の電話番号を発信元の前記電話機に対して送出して該電話番号が正しいか否かを確認するか、または、ダイヤルされた前記発信先への発信動作を開始するか、のいずれかの動作を選択する発信処理判定機能と、
ダイヤルされた前記発信先の電話番号の情報を含む確認用音声ガイダンスを作成して、作成した該確認用音声ガイダンスを、発信元の前記電話機に対して送出する確認音声作成送出機能と、
前記確認用音声ガイダンスを送出後、発信中止操作許容時間閾値としてあらかじめ定めた一定時間が経過するまでの間に、前記電話機がオンフックになったか否かを監視する発信確認機能と
を有し、
前記発信処理判定機能は、ダイヤルされた前記発信先の電話番号が前記発信情報テーブルの前記発信履歴に存在していなかった場合には、ダイヤルされた前記発信先の電話番号への発信動作を一時保留して、前記確認音声作成送出機能により、前記確認用音声ガイダンスを発信元の前記電話機に対して送出し、
前記発信確認機能において、前記発信中止操作許容時間閾値として定めた一定時間が経過するまでの間に、前記電話機のオンフックを検出した場合には、前記発信処理判定機能は、ダイヤルされた前記発信先の電話番号への発信を行うことなく、発信動作を中止する
ことを特徴とするＶｏＩＰ発信制御プログラム。
【発明の詳細な説明】
【技術分野】
【０００１】
本発明は、ホームゲートウェイ装置、ＶｏＩＰ発信方法およびＶｏＩＰ発信制御プログラムに関し、特に、発信時に正しい発信先に発信したか否かを確認することが可能なホームゲートウェイ装置、ＶｏＩＰ発信方法およびＶｏＩＰ発信制御プログラムに関する。
【背景技術】
【０００２】
近年、迷惑電話による被害等が多発している。このため、着信時の発信者番号から着信した相手がホワイトリストに属するかブラックリストに属するかの判断を行い、ブラックリストに属する相手の場合には着信させないといったサービスが実施されるようになってきている。
【０００３】
しかし、発信時に関しては、発信先がホワイトリストに属する相手かブラックリストに属する相手かを確認する手段が発信側には存在していないのが実情である。この結果、誤発信等によりブラックリストに属する相手に対して発信動作を行ってしまうと、着信側において、ナンバーディスプレイ等の機能から、発信側の電話番号が通知されてしまうので、ブラックリストに属する相手に発信側の電話番号が知られてしまうといったリスクがある。
【０００４】
現状においては、誤発信を防止するには、ダイヤル操作時に間違えないように注意する等の対策しかないが、かかる問題を解決するための新しい技術として、例えば、特許文献１の特開２００１−０２４７７４号公報「誤発呼防止機能付き電話機」においては、あらかじめ、発信先となる電話番号を登録しておき、発信した際に、発信先の電話番号があらかじめ登録されているか否かを確認し、登録されている場合に限って、正しい発信先に対する発信操作であるものと判定する仕組みを提案している。
【先行技術文献】
【特許文献】
【０００５】
【特許文献１】特開２００１−０２４７７４号公報
【発明の概要】
【発明が解決しようとする課題】
【０００６】
しかしながら、前記特許文献１等に記載の本発明に関連する従来の技術においては、発信先となる相手の電話番号をあらかじめ登録しておくことが必要である。すなわち、ブラックリストに属する相手に発信側の電話番号が知られるのを防ぐためには、ホワイトリストに属する相手の電話番号を発信より前の時点に登録するという事前登録の操作が電話の使用者に求められる。この電話番号の事前登録という操作は電話の使用者にとっては煩わしいことである。また、任意の時点に急に発信をしようとした場合にも事前登録という操作を要することは、実際に発信するまでに時間がかかり、迅速性に欠ける。このように従来の技術には解決するべき課題がある。
【０００７】
（本発明の目的）
本発明は、かかる解決するべき課題に鑑みてなされたものであり、発信先の電話番号の事前登録を行うことなく、誤った発信先への発信を確実に防止することが可能なホームゲートウェイ装置、ＶｏＩＰ発信方法およびＶｏＩＰ発信制御プログラムを提供することを、その目的としている。
【課題を解決するための手段】
【０００８】
前述の課題を解決するため、本発明によるホームゲートウェイ装置、ＶｏＩＰ発信方法およびＶｏＩＰ発信制御プログラムは、主に、次のような特徴的な構成を採用している。
【０００９】
（１）本発明によるホームゲートウェイ装置は、
電話機とネットワークとの間に配置され、ＶｏＩＰ（Voice  over  Internet  Protocol）機能を有するホームゲートウェイ装置であって、
前記電話機の発信時にダイヤル情報として受け取った発信先の電話番号を含む情報を過去の発信履歴として順次蓄積する発信情報テーブルと、
前記電話機の発信時にダイヤルされた発信先の電話番号を検出した際に、ダイヤルされた該発信先の電話番号と、前記発信情報テーブルに前記発信履歴として蓄積されている電話番号と、の照合を行うことにより、ダイヤルされた前記発信先が初めての発信先か否かを判定した結果に基づいて、ダイヤルされた前記発信先の電話番号への発信動作を一時保留して、ダイヤルされた前記発信先の電話番号を発信元の前記電話機に対して送出して該電話番号が正しいか否かを確認するか、または、ダイヤルされた前記発信先への発信動作を開始するか、のいずれかの動作を選択する発信処理判定手段と、
ダイヤルされた前記発信先の電話番号の情報を含む確認用音声ガイダンスを作成して、作成した該確認用音声ガイダンスを、発信元の前記電話機に対して送出する確認音声作成送出手段と、
前記確認用音声ガイダンスを送出後、発信中止操作許容時間閾値としてあらかじめ定めた一定時間が経過するまでの間に、前記電話機がオンフックになったか否かを監視する発信確認手段と
を有し、
前記発信処理判定手段は、ダイヤルされた前記発信先の電話番号が前記発信情報テーブルの前記発信履歴に存在していなかった場合には、ダイヤルされた前記発信先の電話番号への発信動作を一時保留して、前記確認音声作成送出手段により、前記確認用音声ガイダンスを発信元の前記電話機に対して送出し、
前記発信確認手段が、前記発信中止操作許容時間閾値として定めた一定時間が経過するまでの間に、前記電話機のオンフックを検出した場合には、前記発信処理判定手段は、ダイヤルされた前記発信先の電話番号への発信を行うことなく、発信動作を中止する
ことを特徴とする。
【００１０】
（２）本発明によるＶｏＩＰ発信方法は、
電話機とネットワークとの間に配置され、ＶｏＩＰ（Voice  over  Internet  Protocol）機能を有するホームゲートウェイ装置におけるＶｏＩＰ発信方法であって、
前記電話機の発信時にダイヤル情報として受け取った発信先の電話番号を含む情報を過去の発信履歴として発信情報テーブルに順次蓄積する発信情報テーブル生成ステップと、
前記電話機の発信時にダイヤルされた発信先の電話番号を検出した際に、ダイヤルされた該発信先の電話番号と、前記発信情報テーブルに前記発信履歴として蓄積されている電話番号と、の照合を行うことにより、ダイヤルされた前記発信先が初めての発信先か否かを判定した結果に基づいて、ダイヤルされた前記発信先の電話番号への発信動作を一時保留して、ダイヤルされた前記発信先の電話番号を発信元の前記電話機に対して送出して該電話番号が正しいか否かを確認するか、または、ダイヤルされた前記発信先への発信動作を開始するか、のいずれかの動作を選択する発信処理判定ステップと、
ダイヤルされた前記発信先の電話番号の情報を含む確認用音声ガイダンスを作成して、作成した該確認用音声ガイダンスを、発信元の前記電話機に対して送出する確認音声作成送出ステップと、
前記確認用音声ガイダンスを送出後、発信中止操作許容時間閾値としてあらかじめ定めた一定時間が経過するまでの間に、前記電話機がオンフックになったか否かを監視する発信確認ステップと
を有し、
前記発信処理判定ステップは、ダイヤルされた前記発信先の電話番号が前記発信情報テーブルの前記発信履歴に存在していなかった場合には、ダイヤルされた前記発信先の電話番号への発信動作を一時保留して、前記確認音声作成送出ステップにより、前記確認用音声ガイダンスを発信元の前記電話機に対して送出し、
前記発信確認ステップにおいて、前記発信中止操作許容時間閾値として定めた一定時間が経過するまでの間に、前記電話機のオンフックを検出した場合には、前記発信処理判定ステップは、ダイヤルされた前記発信先の電話番号への発信を行うことなく、発信動作を中止する
ことを特徴とする。
【００１１】
（３）本発明によるＶｏＩＰ発信制御プログラムは、
電話機とネットワークとの間に配置され、ＶｏＩＰ（Voice  over  Internet  Protocol）機能を有するホームゲートウェイ装置に搭載されたコンピュータによって実行されるＶｏＩＰ発信制御プログラムであって、
前記電話機の発信時にダイヤル情報として受け取った発信先の電話番号を含む情報を過去の発信履歴として発信情報テーブルに順次蓄積する発信情報テーブル生成機能と、
前記電話機の発信時にダイヤルされた発信先の電話番号を検出した際に、ダイヤルされた該発信先の電話番号と、前記発信情報テーブルに前記発信履歴として蓄積されている電話番号と、の照合を行うことにより、ダイヤルされた前記発信先が初めての発信先か否かを判定した結果に基づいて、ダイヤルされた前記発信先の電話番号への発信動作を一時保留して、ダイヤルされた前記発信先の電話番号を発信元の前記電話機に対して送出して該電話番号が正しいか否かを確認するか、または、ダイヤルされた前記発信先への発信動作を開始するか、のいずれかの動作を選択する発信処理判定機能と、
ダイヤルされた前記発信先の電話番号の情報を含む確認用音声ガイダンスを作成して、作成した該確認用音声ガイダンスを、発信元の前記電話機に対して送出する確認音声作成送出機能と、
前記確認用音声ガイダンスを送出後、発信中止操作許容時間閾値としてあらかじめ定めた一定時間が経過するまでの間に、前記電話機がオンフックになったか否かを監視する発信確認機能と
を有し、
前記発信処理判定機能は、ダイヤルされた前記発信先の電話番号が前記発信情報テーブルの前記発信履歴に存在していなかった場合には、ダイヤルされた前記発信先の電話番号への発信動作を一時保留して、前記確認音声作成送出機能により、前記確認用音声ガイダンスを発信元の前記電話機に対して送出し、
前記発信確認機能において、前記発信中止操作許容時間閾値として定めた一定時間が経過するまでの間に、前記電話機のオンフックを検出した場合には、前記発信処理判定機能は、ダイヤルされた前記発信先の電話番号への発信を行うことなく、発信動作を中止する
ことを特徴とする。
【発明の効果】
【００１２】
本発明のホームゲートウェイ装置、ＶｏＩＰ発信方法およびＶｏＩＰ発信制御プログラムによれば、以下のような効果を奏することができる。
【００１３】
本発明においては、発信者が発信時にダイヤルした電話番号が、過去の発信履歴に存在していない初めての発信先の電話番号であった場合、当該電話番号に関する発信動作を一時保留して、当該電話番号の情報を含む確認用音声ガイダンスを発信者に対して送出している。
【００１４】
而して、発信者は、前記確認用音声ガイダンスに基づいて、正しい発信先の電話番号をダイヤルしているか否かを発信時に確認することができ、発信者が、誤ってダイヤルしていた場合には、オンフック操作を行って、発信動作を中止することが可能であり、発信時における誤った発信先への発信動作を確実に抑止することができる。さらに、前記特許文献１の技術とは異なり、発信者が、初めての発信先に電話発信しようとする都度、発信先となる電話番号をあらかじめ登録するという煩わしさを解消することもできる。
【図面の簡単な説明】
【００１５】
【図１】本発明に係るホームゲートウェイ装置の装置構成の一例を示す装置構成図である。
【図２】図１のホームゲートウェイ装置の発信情報テーブルに過去の発信履歴として蓄積されているダイヤル番号リストの一例を示すテーブルである。
【図３】図１のホームゲートウェイ装置の発信情報テーブルへの発信履歴の蓄積動作の一例を示すフローチャートである。
【図４】図１のホームゲートウェイ装置におけるＶｏＩＰ発信動作の一例を説明するためのフローチャートである。
【発明を実施するための形態】
【００１６】
以下、本発明によるホームゲートウェイ装置、ＶｏＩＰ発信方法およびＶｏＩＰ発信制御プログラムの好適な実施形態について添付図を参照して説明する。なお、以下の説明においては、本発明によるホームゲートウェイ装置およびＶｏＩＰ発信方法について説明するが、かかるＶｏＩＰ発信方法をコンピュータにより実行可能なＶｏＩＰ発信制御プログラムとして実施するようにしても良いし、あるいは、該ＶｏＩＰ発信制御プログラムをコンピュータにより読み取り可能な記録媒体に記録するようにしても良いことは言うまでもない。また、以下の各図面に付した図面参照符号は、理解を助けるための一例として各要素に便宜上付したものであり、本発明を図示の態様に限定することを意図するものではないことも言うまでもない。
【００１７】
（本発明の特徴）
本発明の実施形態の説明に先立って、本発明の特徴についてその概要をまず説明する。本発明は、発信者の誤発信を防止する機能を有していることを特徴とし、発信者が発信時にダイヤルした電話番号を、保持している発信情報テーブル(過去に発信したことがある発信先の電話番号を発信履歴として蓄積したテーブル)の蓄積内容と比較した結果に応じて、該発信者に対して、確認用音声ガイダンスを送出し、該確認用音声ガイダンスを送出している間は、該電話番号の発信先への発信処理を保留することを主要な特徴している。
【００１８】
より具体的には、本発明は、発信時に、ダイヤルした電話番号を基にして発信判定を行い、発信先が過去の発信履歴に存在しない初めての発信先であった場合には、発信先（通話先）を確認するための確認用音声ガイダンスを発信者に対して送出し、該確認用音声ガイダンス送出時から、発信中止操作許容時間閾値としてあらかじめ定めた一定時間が経過するまでの間に、発信者のオンフック（on-hook）操作が行われた場合には、途中放棄呼として扱い、発信動作を中止し、発信先への発信は行わないことを主要な特徴としている。また、該発信中止操作許容時間閾値として定めた一定時間が経過するまでの間に、発信者のオンフック操作が無かった場合には、ダイヤルされていた電話番号に対してそのまま発信動作を行う。
【００１９】
而して、本発明においては、前記確認用音声ガイダンスに基づいて、正しい発信先の電話番号をダイヤルしているか否かを発信者は発信時に確認することができ、発信者が、誤ってダイヤルしていた場合には、オンフック操作を行って、発信動作を中止することが可能であり、発信時における誤った発信先への発信動作を確実に抑止することができるという効果を奏することができる。さらに、前記特許文献１の技術では、発信者が、初めての発信先に電話発信しようとする都度、発信先の電話番号をあらかじめ登録するという煩わしさがあったが、本発明によれば、その煩わしさを解消できる。
【００２０】
（本発明の実施形態の構成例）
次に、本発明に係るホームゲートウェイ（ＨＧＷ：Home  Gateway）装置の装置構成例について、図面を参照して説明する。図１は、本発明に係るホームゲートウェイ装置の装置構成の一例を示す装置構成図であり、ＶｏＩＰ（Voice  over  Internet  Protocol）機能を内蔵したホームゲートウェイ装置における発信動作確認用の構成部を中心に示している。
【００２１】
図１に示すホームゲートウェイ装置１００は、電話機２００とネットワーク３００との間に配置されて、ＶｏＩＰ機能を内蔵しており、網側制御部１１０、電話機接続インタフェース１２０、ＨＯＯＫ検出部１２１、ダイヤル情報検出部１３０、発信処理判定部１４０、発信情報テーブル１５０、確認音声作成送出部１６０、発信確認部１７０、および、通話音声制御部１８０を含んで構成され、電話機接続インタフェース１２０に接続された電話機２００と網側制御部１１０に接続されたネットワーク３００との間のＶｏＩＰ接続を制御する機能を有している。
【００２２】
網側制御部１１０は、ネットワーク３００との間のＶｏＩＰ接続を制御する機能を有している。また、電話機接続インタフェース１２０は、電話機２００との間の接続を行う機能を有し、電話機２００のオンフックやオフフックを検出するＨＯＯＫ検出部１２１を内蔵している。
【００２３】
また、ダイヤル情報検出部１３０は、電話機２００の発信時におけるダイヤル情報（すなわち発信先を示す電話番号）を検出する機能を有し、また、発信情報テーブル１５０は、過去に発信した発信先の電話番号を含む情報を過去の発信履歴として蓄積するテーブルである。
【００２４】
また、発信処理判定部１４０は、発信情報テーブル１５０を参照して、ダイヤルされた発信先の電話番号が発信情報テーブル１５０に過去の発信履歴として蓄積されているか否かを確認し、過去に発信した発信先であった場合には、ダイヤルされた電話番号に対する発信動作を網側制御部１１０に対して要求する。該要求を受け取った網側制御部１１０は、当該電話番号の発信先に対して、ネットワーク３００を介して、発信フレームを送信するＶｏＩＰ処理を行う。
【００２５】
一方、過去に発信した発信先ではなく、今回初めて発信する相手であった場合には、発信処理判定部１４０は、発信動作を一時保留して、確認音声作成送出部１６０に対して、ダイヤルされた発信先の電話番号を引き渡して、確認音声作成送出部１６０を起動する機能を有する。
【００２６】
確認音声作成送出部１６０は、発信処理判定部１４０から起動されると、引き渡された電話番号を基にして、発信先を発信者に確認するための確認音声ガイダンスを作成して、作成した該確認用音声ガイダンスを、電話機接続インタフェース１２０を介して、電話機２００に送出する機能を有する。さらに、確認音声作成送出部１６０は、該確認用音声ガイダンスの送出の旨を発信確認部１７０に対して通知する。
【００２７】
また、発信確認部１７０は、確認音声作成送出部１６０から確認用音声ガイダンス送出の旨の通知を受け取ると、タイマを起動して、発信中止操作許容時間閾値としてあらかじめ定めた一定時間が経過するか否かを監視する機能を有する。そして、発信確認部１７０は、該発信中止操作許容時間閾値としてあらかじめ定めた一定時間が経過するまでの間に、発信者がオンフック操作を行ったことを検出したことを、ＨＯＯＫ検出部１２１を介して受け取った場合には、発信処理判定部１４０に対して発信中止の旨を通知する機能を有する。
【００２８】
一方、発信確認部１７０は、該発信中止操作許容時間閾値として定めた一定時間が経過するまでの間にオンフック操作を検知することなく、該発信中止操作許容時間閾値としてあらかじめ定めた一定時間が経過した場合には、発信処理判定部１４０に対して、ダイヤルされた電話番号に関する発信動作を開始することを指示する機能も有している。
【００２９】
発信処理判定部１４０は、発信確認部１７０から、発信中止の通知を受け取った場合には、確認音声作成送出部１６０を制御して、電話機２００に対して送出していた確認用音声ガイダンスを停止するとともに、一時保留していた電話番号に対する発信動作を中止する機能を有する。一方、発信処理判定部１４０は、発信確認部１７０から、発信動作開始の指示を受け取った場合には、確認音声作成送出部１６０を制御して、電話機２００に対して送出していた確認用音声ガイダンスを停止し、かつ、一時保留していた発信先の電話番号を、発信情報テーブル１５０に蓄積するとともに、当該電話番号に対する発信動作を網側制御部１１０に対して要求する機能も備える。該要求を受け取った網側制御部１１０は、当該電話番号の発信先に対して、ネットワーク３００を介して、発信フレームを送信するＶｏＩＰ処理を行う。
【００３０】
なお、ここでは、確認音声作成送出部１６０は、一旦起動されると、前記確認用音声ガイダンスを電話機２００に対して送出し続ける場合について説明しているが、かかる場合に限るものではなく、１ないし複数回送出したら、以降は、前記確認用音声ガイダンスを電話機２００に対して送出しないようにしても良い。このような場合には、当然のことながら、発信処理判定部１４０は、発信確認部１７０から、発信中止の通知や発信動作開始の指示を受け取った場合に、確認音声作成送出部１６０を制御して、電話機２００に対して送出していた確認用音声ガイダンスを停止する動作を行う必要はない。
【００３１】
また、通話音声制御部１８０は、網側制御部１１０におけるＶｏＩＰ処理が終了して、電話機２００と発信先との間の通話状態が確立したことを網側制御部１１０から通知されると、該発信先からネットワーク３００、網側制御部１１０を介して受け取った通話音声を、電話機接続インタフェース１２０を介して、電話機２００に対して送信し、逆に、電話機２００から電話機接続インタフェース１２０を介して受け取った通話音声を、網側制御部１１０、ネットワーク３００を介して発信先に送信する機能を有する。
【００３２】
（本発明の実施形態の動作の説明）
次に、図１に示した本発明に係るホームゲートウェイ装置１００の動作について、その一例を、図面を参照して詳細に説明する。まず、電話機２００の過去の発信履歴を蓄積する発信情報テーブル１５０の構成例について、図２を参照して説明する。図２は、図１のホームゲートウェイ装置１００の発信情報テーブル１５０に過去の発信履歴として蓄積されているダイヤル番号リストの一例を示すテーブルである。
【００３３】
図２に示すように、発信情報テーブル１５０は、項番１５１、電話番号１５２、発信日時１５３、通話可否１５４の各情報を少なくとも含んで構成され、項番１５１が示す順番に、発信履歴が順に蓄積されていく。なお、発信情報テーブル１５０に空きがなくなった場合には、例えば、最新の発信履歴は、最も古い発信履歴に上書きして蓄積していくものとする。
【００３４】
電話番号１５２には、発信先の電話番号として電話機２００においてダイヤルされた電話番号（例えば、項番１５１が“１”の場合は“０ＡＢＪ−１１−１１１１”）が蓄積され、発信日時１５３には、電話機２００の発信動作がなされた日時が「年月日−時分」の形式（例えば、項番１５１が“１”の場合は“ｙｙｍｍｄｄ−ｈｈｍｍ１”）で蓄積される。また、通話可否１５４には、発信先との通話を確立することができたか、あるいは、通話を確立することができなかったかを示す識別情報を例えば「○」「×」として表記している。
【００３５】
なお、他の実施形態として後述するが、発信情報テーブル１５０には、前記発信履歴の他に、電話機２００へ着信した着信相手の電話番号を含む情報を、過去の着信履歴として、順次蓄積していくようにしても良い。かかる場合には、例えば、電話番号１５２は、電話機２００からの発信先の電話番号と、電話機２００へ着信した着信相手の電話番号との双方を示し、発信日時１５３は、電話機２００において発着信動作がなされた日時を示すことになる。
【００３６】
次に、図１のホームゲートウェイ装置１００の発信情報テーブル１５０に発信履歴を蓄積する動作の一例について、図３のフローチャートを参照して詳細に説明する。図３は、図１のホームゲートウェイ装置１００の発信情報テーブル１５０への発信履歴の蓄積動作の一例を示すフローチャートであり、電話機２００の発信時にダイヤルされた電話番号に関する情報を、過去の発信履歴を示すダイヤル番号リストとして作成して発信情報テーブル１５０に順次蓄積していく手順を示している。
【００３７】
図３のフローチャートにおいて、ホームゲートウェイ装置１００のＨＯＯＫ検出部１２１が、電話機２００のオフフックを検出すると（ステップＳ１）、以降、ダイヤル情報検出部１３０において、電話機２００の発信先としてダイヤルされた電話番号を取得する（ステップＳ２）。さらに、ＨＯＯＫ検出部１２１においては、電話機２００のダイヤル途中のオンフックを検出も並行して監視しており、ダイヤル途中でオンフックを検出すると（ステップＳ３のＹｅｓ）、途中放棄呼として、ダイヤルされた電話番号の取得動作を中止して、発信履歴の蓄積動作を終了する。
【００３８】
一方、ダイヤル途中のオンフックを検出することなく、ダイヤルされた電話番号の取得が完了した場合には（ステップＳ３のＮｏ）、発信処理判定部１４０において、まず、発信情報テーブル１５０を参照して、ダイヤルされた電話番号と同じ電話番号が過去の発信履歴として蓄積されているか否かを確認する（ステップＳ４）。
【００３９】
ダイヤルされた電話番号と同じ電話番号が発信情報テーブル１５０の発信履歴として蓄積されていた場合には（ステップＳ４の「履歴あり」）、発信情報テーブル１５０への重複した蓄積動作を行うことなく、発信履歴の蓄積動作を終了する。なお、かかる場合には、ダイヤルされた電話番号は既に確認済みの発信先の電話番号であると判断して、発信処理判定部１４０は、網側制御部１１０に対して、ダイヤルされた電話番号の発信先に対する発信動作を行うためのＶｏＩＰ処理を要求するという動作も行うことになる。
【００４０】
これに対して、ダイヤルされた電話番号と同じ電話番号が発信情報テーブル１５０には発信履歴として蓄積されていなかった場合には（ステップＳ４の「履歴なし」）、ダイヤルされた該電話番号の発信先は、過去に発信したことがない初めての発信先であるので、ダイヤルされた該電話番号を、発信情報テーブル１５０に追加するために、まず、発信情報テーブル１５０に空きがあるか否かを確認する（ステップＳ５）。
【００４１】
発信情報テーブル１５０に空きが存在している場合は（ステップＳ５の「あり」）、発信情報テーブル１５０の先頭の空き領域にダイヤルされた該電話番号に関する情報（電話番号の他に発信日時）を追加する（ステップＳ６）。一方、空きが存在していなかった場合には（ステップＳ５の「なし」）、発信情報テーブル１５０に蓄積されている発信履歴のうち一番古い発信履歴に上書きする形で、ダイヤルされた該電話番号に関する情報（電話番号の他に発信日時）を蓄積する（ステップＳ７）。
【００４２】
なお、発信情報テーブル１５０の通話可否１５４に関する情報は、網側制御部１１０のＶｏＩＰ処理において、発信先との間で通話状態に移行することができたか否かを検出した結果に基づいて設定される。
【００４３】
次に、図２に例示したように、過去の発信履歴が発信情報テーブル１５０に蓄積されている状況下において、図１のホームゲートウェイ装置１００がＶｏＩＰ発信動作を行う場合の動作例について、図４のフローチャートを参照して詳細に説明する。図４は、図１のホームゲートウェイ装置１００におけるＶｏＩＰ発信動作の一例を説明するためのフローチャートである。
【００４４】
ホームゲートウェイ装置１００の電話機接続インタフェース１２０に接続されている電話機２００がオフフックすると、電話機接続インタフェース１２０のＨＯＯＫ検出部１２１が該オフフックを検出する（ステップＳ１１）。以降、ダイヤル情報検出部１３０において、電話機２００の発信先としてダイヤルされた電話番号を取得する（ステップＳ１２）。
【００４５】
ＨＯＯＫ検出部１２１において、ダイヤル途中のオンフックを検出することがなく、ダイヤルされた電話番号の取得が完了すると、発信処理判定部１４０において、まず、発信情報テーブル１５０を参照して、ダイヤルされた電話番号と同じ電話番号が過去の発信履歴として蓄積されているか否かを確認する（ステップＳ１３）。
【００４６】
ダイヤルされた電話番号と同じ電話番号が発信情報テーブル１５０の発信履歴として蓄積されていた場合には（ステップＳ１３の「履歴あり」）、ダイヤルされた電話番号は既に確認済みの発信先の電話番号であると判断して、発信処理判定部１４０は、発信制御として、網側制御部１１０に対して、ダイヤルされた電話番号の発信先に対する発信動作を行うためのＶｏＩＰ処理を要求する（ステップＳ１４）。
【００４７】
しかる後、網側制御部１１０におけるＶｏＩＰ発信処理が終了して、電話機２００と発信先との間の通話状態が確立したことを網側制御部１１０から通知されると、通話音声制御部１８０は、該発信先からネットワーク３００、網側制御部１１０を介して受け取った通話音声データを、アナログ形式の通話音声に変換して、電話機接続インタフェース１２０を介して、電話機２００に対して送信する。また、通話音声制御部１８０は、電話機２００から電話機接続インタフェース１２０を介して受け取った通話音声を、デジタル形式の通話音声データに変換して、網側制御部１１０、ネットワーク３００を介して発信先に送信する。
【００４８】
さらに、網側制御部１１０は、発信処理判定部１４０に対して、発信先との間の通話状態が確立した際には、通話状態への移行が完了した旨を通知し、一方、発信先との間の通話状態への移行ができなかった場合には、通話状態への移行が不可の旨を通知する。そして、発信処理判定部１４０は、網側制御部１１０から通話状態への移行完了の旨の通知を受け取ると、発信情報テーブル１５０の通話可否１５４を、通話可を示す‘○’に設定し、網側制御部１１０から通話状態への移行不可の旨の通知を受け取ると、発信情報テーブル１５０の通話可否１５４を、通話不可を示す‘×’に設定する。
【００４９】
また、ステップＳ１３において、ダイヤルされた電話番号と同じ電話番号が発信情報テーブル１５０の発信履歴として蓄積されていなかった場合には（ステップＳ１３の「履歴なし」）、発信処理判定部１４０は、ダイヤルされた電話番号が初めての発信先の電話番号であると判定して、該電話番号への発信動作を一時保留して、確認音声作成送出部１６０に対してダイヤルされた電話番号等を引き渡して確認音声作成送出部１６０を起動する。
【００５０】
確認音声作成送出部１６０は、発信処理判定部１４０から起動されると、引き渡された電話番号を基にして、発信先を発信者に確認するための確認音声ガイダンス（発信先の電話番号の情報を含む電話番号確認用のガイダンス）を作成して、作成した該確認用音声ガイダンスを、電話機接続インタフェース１２０を介して、電話機２００に送出する（ステップＳ１５）。ここで、作成される確認音声ガイダンスは、例えば、ダイヤルされた電話番号が０ＡＢＪ６６６６６６６であった場合には、「電話番号０ＡＢＪ６６６６６６６に発信します」という発信先の電話番号を確認するためのガイダンス情報である。
【００５１】
さらに、確認音声作成送出部１６０は、該確認用音声ガイダンスの送出の旨を発信確認部１７０に対して通知する。発信確認部１７０は、確認音声作成送出部１６０からの確認用音声ガイダンス送出の旨の通知を受け取ると、タイマを起動して、発信中止操作許容時間閾値としてあらかじめ定めた一定時間が経過するか否かを監視するとともに、電話機２００がオンフックされたか否かを監視する（ステップＳ１６）。ここで、該発信中止操作許容時間閾値の具体的な数値例としては、例えば、５秒が用いられる。
【００５２】
そして、該発信中止操作許容時間閾値としてあらかじめ定めた一定時間が経過するまでの間に、発信者のオンフック操作により電話機２００がオンフックになったことを検出したことを、ＨＯＯＫ検出部１２１を介して受け取った場合には（ステップＳ１６の「ＯＮ−ＨＯＯＫ検出」）、発信確認部１７０は、発信処理判定部１４０に対して、発信中止の旨を通知する。
【００５３】
発信処理判定部１４０は、発信確認部１７０から、発信中止の通知を受け取った場合、確認音声作成送出部１６０を制御して、電話機２００に対して送出していた確認用音声ガイダンスを停止するとともに、一時保留していた電話番号に対する発信動作を中止する(ステップＳ１７)。
【００５４】
一方、該発信中止操作許容時間閾値として定めた一定時間が経過するまでの間に、電話機２００のオンフックを検知することがなく、該発信中止操作許容時間閾値として定めた一定時間が経過した場合には（ステップＳ１６の「ＯＦＦ−ＨＯＯＫのままタイマ満了」）、発信確認部１７０は、発信処理判定部１４０に対して、ダイヤルされた電話番号に関する発信動作を起動することを指示する。
【００５５】
発信処理判定部１４０は、発信確認部１７０から、発信動作起動の指示を受け取った場合、確認音声作成送出部１６０を制御して、電話機２００に対して送出していた確認用音声ガイダンスを停止し、かつ、一時保留していた電話番号（ダイヤルされた電話番号）を、発信情報テーブル１５０に蓄積するとともに、当該電話番号に対する発信動作を網側制御部１１０に対して要求する。該要求を受け取った網側制御部１１０は、当該電話番号の発信先に対して、ネットワーク３００を介して、発信フレームを送信するＶｏＩＰ処理を行う。
【００５６】
（本発明の実施形態の効果の説明）
以上に詳細に説明したように、本発明の実施形態においては、以下のような効果が得られる。すなわち、本実施形態においては、発信者が発信時にダイヤルした電話番号が、過去の発信履歴に存在していない初めての発信先の電話番号であった場合、当該電話番号に関する発信動作を一時保留して、当該電話番号の情報を含む確認用音声ガイダンスを発信者に対して送出している。
【００５７】
而して、発信者は、前記確認用音声ガイダンスに基づいて、正しい発信先の電話番号をダイヤルしているか否かを発信時に確認することができ、発信者が、誤ってダイヤルしていた場合には、オンフック操作を行って、発信動作を中止することが可能であり、発信時における誤った発信先への発信動作を確実に抑止することができる。さらに、前記特許文献１の場合とは異なり、発信者が、初めての発信先に電話発信しようとする都度、発信先となる電話番号をあらかじめ登録するという煩わしさを解消することもできる。
【００５８】
（本発明の他の実施形態）
前述した本発明の実施形態においては、ダイヤルされた電話番号を確認するために確認用音声ガイダンスを発信者に対して送出した後、発信動作を中止させるためのオンフック操作を行うまでに許容される一定時間としてあらかじめ定めた発信中止操作許容時間閾値を、例えば５秒の値に固定している場合を示したが、本発明は、かかる場合に限るものではなく、発信者が任意の値に変更して設定するようにしても構わない。
【００５９】
あるいは、該発信中止操作許容時間閾値に示す一定時間の経過の途中であっても、発信先への発信を可能にするために、第２ダイヤル方式として、発信者が、先にダイヤルされた電話番号に関する発信動作の開始を指示する特定の番号（例えば、ダイヤル‘＊’）をあらかじめ定めるようにしても良い。そして、ホームゲートウェイ装置１００において、前記確認用音声ガイダンスを電話機２００に送出した後、前記確認用音声ガイダンスを確認した発信者が該特定の番号をダイヤルしたことを検出した際には、直ちに、先にダイヤルされた電話番号に関する発信動作に移行するようにしても良い。
【００６０】
かくのごとく、発信中止操作許容時間閾値を任意の時間に調整したり、あるいは、発信動作開始を指示する第２ダイヤル（特定の番号）を用いたりすることによって、発信動作の遅延時間の短縮を図ることが可能になる。
【００６１】
また、前述した本発明の実施形態においては、過去の発信履歴を蓄積した発信情報テーブル１５０には、発信先を示す電話番号を電話番号１５２に蓄積する例を示したが、本発明は、かかる場合に限るものではない。例えば、発信先を示す情報として、発信先の電話番号の他に、発信先の相手名も発信情報テーブル１５０に追加して蓄積するようにしても良い。
【００６２】
つまり、例えば、発信者に対して、確認用音声ガイダンスとして、ダイヤルされた発信先の電話番号を確認する情報を送出する際に、当該発信先を特定する相手名の入力を促す情報も含めて送出するようにして、電話機２００から発信先を特定する相手名を受け取ることにより、発信情報テーブル１５０に追加して蓄積するようにすれば良い。以降、電話機２００は、過去に発信したことがある発信先に発信する場合には、発信先の電話番号の代わりに、発信先の相手名をホームゲートウェイ装置１００に対して送信することも可能になる。
【００６３】
かくのごとく、過去に発信した発信先に発信する際には、発信先の電話番号ではなく、該発信先の相手名を指定することによって、更なる誤発信防止を図ることが可能になる。
【００６４】
なお、発信時に、電話機２００から電話番号ではなく発信先の相手名がダイヤル情報として入力されてきた場合に、当該相手名がホームゲートウェイ装置１００の発信情報テーブル１５０に蓄積されていなかった場合には、当該発信先への発信動作を中止するか、あるいは、初めての発信先である旨を示す情報ととともに、当該発信先の電話番号の入力を促す音声ガイダンスを前記確認用音声ガイダンスの代わりに電話機２００に送出するようにしても良い。
【００６５】
そして、後者の場合には、電話機２００から該発信先の電話番号を受け取った際に、前記確認用音声ガイダンスを電話機２００に送出して、再度、該電話番号の確認を行うようにしても良いし、再度の確認を行うことなく、直ちに、該電話番号に対する発信動作を行うとともに、発信情報テーブル１５０に、該発信先の電話番号と相手名との双方を追加して蓄積するようにしても良い。
【００６６】
また、前述した本発明の実施形態においては、過去の発信履歴を蓄積する発信情報テーブル１５０に空き領域がなくなった場合に、新たな発信履歴を蓄積しようとする際に、最も古い発信履歴を廃棄してその上に新たな発信履歴を上書きする例を示したが、本発明は、かかる場合に限るものではない。例えば、発信情報テーブル１５０には、各発信先の電話番号１５２に関して、発信日時１５３のみならず発信回数も含めて蓄積するようにし、発信情報テーブル１５０に空き領域がなくなった場合に、新たな発信履歴を蓄積しようとする際に、発信回数が最も少ない発信履歴を廃棄してその上に新たな発信履歴を上書きするようにしても良い。
【００６７】
かくのごとく、発信回数が少ない発信履歴から順に上書きしていくことにより、発信回数が多い発信先をそのまま発信履歴として残すことができ、確認用音声ガイダンスの送出頻度を低減することができる。
【００６８】
また、前述した本発明の実施形態においては、過去の発信履歴を蓄積した発信情報テーブル１５０に基づいて、ダイヤルされた電話番号が、過去に発信した発信先の電話番号と同じであるか否かを判定することにより、初めての相手か否かを判定している例を示したが、本発明は、かかる場合に限るものではない。例えば、電話機２００が過去に発信した発信先の電話番号を含む発信履歴のみならず、電話機２００に過去に着信した着信相手の電話番号を含む情報を、過去の着信履歴を示す情報として発信情報テーブル１５０に蓄積するようにしても良い。そして、かかる場合には、発信履歴と着信履歴との双方を用いて、ダイヤルされた電話番号の発信先が、初めての通信相手か否かを判定するようにすれば良い。
【００６９】
つまり、発信先の電話番号のみならず着信した着信相手の電話番号（着信電話番号）も用いて、ダイヤルされた電話番号が、過去に発着信した通信相手の電話番号のいずれかと同じであるか否かを判定するようにしても良い。そして、過去に発着信した通信相手の電話番号のいずれについても同じではなかった場合には、ダイヤルされた電話番号が初めての通信相手に対する電話番号であると判定して、発信者に対して、ダイヤルされた当該電話番号の情報を含む確認用音声ガイダンスを送出するようにすれば良い。
【００７０】
かくのごとく、ダイヤルされた電話番号の照合対象として、過去に発着信した通信相手の電話番号を用いることにより、より多くの通信相手を過去の通信相手として設定することができ、確認用音声ガイダンスの送出頻度を低減することができる。
【００７１】
なお、発信情報テーブル１５０に蓄積する情報に関しては、前述した本発明の実施形態の場合のみならず、前述した他の実施形態の説明についても、電話機２００からの発信先の電話番号を含む情報（発信履歴）のみならず、電話機２００への着信相手の電話番号を含む情報（着信履歴）も蓄積するようにしても良いことは言うまでもない。
【００７２】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７３】
１００      ホームゲートウェイ装置
１１０      網側制御部
１２０      電話機接続インタフェース
１２１      ＨＯＯＫ検出部
１３０      ダイヤル情報検出部
１４０      発信処理判定部
１５０      発信情報テーブル
１５１      項番
１５２      電話番号
１５３      発信日時
１５４      通話可否
１６０      確認音声作成送出部
１７０      発信確認部
１８０      通話音声制御部
２００      電話機
３００      ネットワーク
【図１】
2019009485.tif 000003
【図２】
2019009485.tif 000004
【図３】
2019009485.tif 000005
【図４】
2019009485.tif 000006